(57)【要約】【課題】弾球遊技機の演出装置の製作に係るコストを低減しつつデザインのバラエティが豊富な弾球遊技機の演出装置を提供する。【解決手段】センター役物３０は遊技盤１８に固定されるベースユニット４０と、このベースユニット４０に着脱自在に取り付けられる演出装置本体４２とから構成される。ベースユニットには雌型コネクタ４６が設けられ、演出装置本体４２には雄型コネクタ４７が設けられる。雌型コネクタ４６は雌型コネクタハウジング５０と、中継端子５１とから構成される。雄型コネクタ４７は、接続端子５５とから構成される。雌型コネクタハウジング５０には雄型コネクタハウジング５４が嵌め込まれ、これによって中継端子５１に接続端子５５が接続する。演出装置本体４２の背面の縁は遊技盤１８に密接しているため演出装置本体４２は安定し、演出装置本体４２の外壁にパチンコ玉が衝突しても位置がずれたりすることはない。【選択図】図６
2010148958.tif 000002
【特許請求の範囲】
【請求項１】
遊技盤の前面に設けられた遊技領域内に配置され、制御回路からの制御信号に応じて遊技演出用の画像を表示する表示パネルを備えた弾球遊技機の演出装置において、
前記制御信号を中継するための中継端子を備え、前記遊技盤に形成された装着開口から前記中継端子が露呈するように遊技盤の背面側に固定されるベースユニットと、
前記中継端子に抜き差し可能な接続端子が背面側に固定され、前記表示パネルが前面側に固定されるとともに、前記遊技盤の前面側から前記ベースユニットに取り付けられる演出装置本体とを備え、
前記演出装置本体は、前記接続端子が前記中継端子に接続されることによって前記ベースユニットに固定されることを特徴とする弾球遊技機の演出装置。
【請求項２】
前記演出装置本体の背面の縁は平面状に形成されており、
前記演出装置本体は、前記背面の縁が前記遊技盤に密接するように前記ベースユニットに取り付けられることを特徴とする請求項１記載の弾球遊技機の演出装置。
【発明の詳細な説明】
【技術分野】
【０００１】
本発明は遊技領域内に配置される弾球遊技機の演出装置に関するものである。
【背景技術】
【０００２】
パチンコ店等の遊技場に設けられた弾球遊技機には、遊技盤等から構成される遊技領域が設けられ、この遊技領域内には釘、センター役物、入賞口などが設けられている。遊技者は遊技機の前面には遊技者によって操作される操作ハンドル、遊技球が払い出される受け皿が備えられ、遊技者によって遊技領域に打ち出された遊技球が各種入賞口に入賞することによって遊技球が受け皿に払い出される。
【０００３】
センター役物は、遊技領域の略中央に位置するように遊技盤に設けられ、表示画面や発光体を有するものが多く、これら表示画面や発光体は制御回路によって制御されている。近年は遊技の興趣を高めるために様々な工夫が施されたセンター役物が考案されている。例えば、表示画面を有するセンター役物が備えられた弾球遊技機では、この表示画面に遊技状態に対応する画像を表示して遊技者にとって有利な状態なのか否か等を知らせて利便性を高めていた。また、発光体を備えたセンター役物もよく知られており、センター役物の発光体を音声に合わせて発光させたり、音声からずらして発光させたりすることで期待感を高めたものもある。特許文献１記載の発明では、センター役物として用いられる補助誘導装置に、遊技球が入球する入球口と、この入球口から入球した遊技球を一定の場所まで誘導する誘導通路、及びこの誘導通路を被覆する着脱可能な通路カバーが設けられており、通過痕がついた通路カバーを交換することによって外観の修復が可能な補助誘導装置が記載されている。
【先行技術文献】
【特許文献】
【０００４】
【特許文献１】特開２００１−３１４５７５号公報
【発明の開示】
【発明が解決しようとする課題】
【０００５】
ところで、センター役物は遊技領域の略中央に配置されているため、遊技者に注視されることが多い。このため、センター役物の形状や駆動態様によっては遊技の興趣を高め、あるいは遊技の興趣を損なってしまうことがあるため、各遊技機メーカーは特に入念にセンター役物を製作している。
【０００６】
しかしながら、センター役物を遊技盤に固定してしまうと、センター役物を遊技盤に取り付ける作業を行う際に制御回路に接続させる作業を併せて行う必要があり、また、センター役物を遊技盤から取り外す作業を行う際には制御回路との接続を断つ作業を行う必要があり、このためセンター役物の交換作業が煩雑になってしまうことがあった。
【０００７】
本発明は上記の事情に鑑みてなされたものであり、その目的は、弾球遊技機の演出装置の交換を容易にしつつデザインのバラエティを豊富にできる弾球遊技機の演出装置を提供することにある。
【課題を解決するための手段】
【０００８】
上記の目的を達成するために、本発明の弾球遊技機の演出装置は、遊技盤の前面に設けられた遊技領域内に配置され、制御回路からの制御信号に応じて遊技演出用の画像を表示する表示パネルを備えた弾球遊技機の演出装置において、前記制御信号を中継するための中継端子を備え、前記遊技盤に形成された装着開口から前記中継端子が露呈するように遊技盤の背面側に固定されるベースユニットと、前記中継端子に抜き差し可能な接続端子が背面側に固定され、前記表示パネルが前面側に固定されるとともに、前記遊技盤の前面側から前記ベースユニットに取り付けられる演出装置本体とを備え、前記演出装置本体は、前記接続端子が前記中継端子に接続されることによって前記ベースユニットに固定されることを特徴としている。
【０００９】
前記演出装置本体の背面の縁は平面状に形成されており、前記演出装置本体は、前記背面の縁が前記遊技盤に密接するように前記ベースユニットに取り付けられるものでもよい。
【発明の効果】
【００１０】
本発明の弾球遊技機の演出装置によれば、制御信号を中継するための中継端子を備え、遊技盤に固定されて中継端子が前記遊技盤上に位置するベースユニットと、中継端子から制御信号を受け取る接続端子を備え、中継端子に接続端子が接続されるようにベースユニットに着脱自在に取り付けられ、接続端子を介して入力された制御信号によって制御される演出装置本体とから構成されることにより、遊技盤に固定されたベースユニットに演出装置本体を自在に取り付け、ベースユニットが遊技盤に固定されたまま演出装置本体ベースユニットから自在に取り外し、別の演出装置本体を取り付けることが可能となるため、演出装置本体を容易に交換することができ、演出装置のバラエティを豊富にすることができる。また演出装置本体を交換することで演出装置の外観を変更できるため、ベースユニットを共用して弾球遊技機の演出装置に係るコストを低減しつつデザインのバラエティが豊富な弾球遊技機の演出装置を提供することができる。
【００１１】
また、中継端子は前記ベースユニットに設けられた第１コネクタハウジング内に保持され、接続端子は前記演出装置本体に設けられかつ第１コネクタハウジングに嵌合自在な第２コネクタハウジング内に保持されており、第１コネクタハウジングに第２コネクタハウジングが嵌合されるとこによって中継端子に接続端子が接続されることにより、第１コネクタハウジングに第２コネクタハウジングを嵌合させることによって中継端子に接続端子を確実に接続させ、接続状態を確実に維持することができる。
【００１２】
また、ベースユニットは、演出装置本体が遊技領域内の略中央に位置するように遊技盤に固定されることにより、演出装置本体が遊技領域内の略中央に位置して駆動するため遊技の興趣を高めることができる。
【００１３】
また、接続端子が備えられた演出装置本体の背面の縁は平面状に形成されており、演出装置本体は背面の縁が遊技盤に密接するようにベースユニットに取り付けられることにより、演出装置本体の背面の縁が遊技盤に密接して演出装置本体が揺動しないようによりしっかりと固定することができる。
【００１４】
また、演出装置本体は、第２コネクタハウジングが第１コネクタハウジングに嵌合されることによってベースユニットに取り付けられることにより、第２コネクタハウジングが第１コネクタハウジングに嵌合されることによって接続端子が中継端子に接続されかつ演出装置本体がベースユニットに取り付けられるため、より容易に演出装置本体をベースユニットに取り付けることができる。
【図面の簡単な説明】
【００１５】
【図１】上部扉が開かれた本発明の弾球遊技機の演出装置を備えたパチンコ機を前側から観察した外観斜視図である。
【図２】上部扉を正面から観察した正面図である。
【図３】演出装置本体が遊技盤に固定されたベースユニットから取り外されたパチンコ機の分解斜視図である。
【図４】ベースユニットから演出装置本体が取り外された遊技盤の正面図である。
【図５】遊技盤に垂直な平面で上側の爪及び下側の爪が嵌め込まれる演出装置本体を縦に切断した部分断面図である。
【図６】遊技盤に垂直な平面で雄型コネクタ及び雌型コネクタが設けられた演出装置本体を縦に切断した部分断面図である。
【図７】パチンコ機の電気的な構成を概略的に示したブロック図である。
【図８】下部におもりを設けた演出装置本体がベースユニットに取り付けられた演出装置を遊技盤に垂直な平面で縦に切断した断面図である。
【発明を実施するための形態】
【００１６】
本発明の演出装置を備えた弾球遊技機であるパチンコ機２の外観斜視図を図１に示す。パチンコ機２は、本体部材３に、上部扉４及び下部扉５からなる２枚の前面扉が本体部材３に対して回動自在となるように、図示しないヒンジ部を介して組み付けられる。上部扉４の中央には開口４ａが設けられ、この開口４ａにはガラス板７が組み付けられている。開口４ａが透明なガラス板７によって遮蔽されることにより、遊技球であるパチンコ玉が遊技領域９を流下する様子や、遊技領域９内に設けられた構造物などを視認することができる。
【００１７】
下部扉５には、受け皿１２、操作ハンドル１４等が設けられる。受け皿１２には遊技を開始する際にパチンコ玉が供給される他、遊技領域９を流下するパチンコ玉の入賞に応じて賞球としてのパチンコ玉が払い出し口（図示省略）から払い出される。操作ハンドル１４は、パチンコ玉を遊技領域９に打ち出す際に回動され、操作ハンドル１４の回動に応じてパチンコ玉の発射強度が変化する。なお、操作ハンドル１４は、図示しない捩りバネによってパチンコ玉を遊技領域９に発射しない基準位置に付勢されており、操作ハンドル１４から手が離れた場合には、操作ハンドル１４は基準位置に戻され、パチンコ玉の打ち出しは停止する。
【００１８】
上部扉４を開けると、遊技盤１８が露呈し、遊技盤１８上には、釘、通過チャッカ１７、スタートチャッカ２３、入賞チャッカ２４、アタッカ２６、演出装置であるセンター役物３０等が設けられている。スタートチャッカ２３には、例えば電動チューリップ２５と呼ばれる開閉式の可動装置が設けられ、これによってパチンコ玉が入賞しやすい状態と入賞しにくい状態とが切り替えられるようになっている。遊技領域９に打ち出されたパチンコ玉は入賞チャッカ２４やアタッカ２６等に入賞しない場合はアウト口３３によって回収される。
【００１９】
スタートチャッカ２３には始動入賞口２３ａが設けられ、始動入賞口２３ａにパチンコ玉が入賞すると予め定められた個数のパチンコ玉が賞球として払い出される。また、始動入賞口２３ａにパチンコ玉が入賞すると電子抽選が開始され、乱数の抽出、抽出された乱数が当たりとなる乱数であるか否かの判定が行われ、判定の結果は表示パネル３５に表示される。
【００２０】
入賞チャッカ２４には通常入賞口２４ａが設けられ、通常入賞口２４ａにパチンコ玉が入賞すると、予め定められた個数のパチンコ玉が賞球として払い出し口から受け皿１２に払い出される。アタッカ２６は、表示パネル３５によって当たりが告知されたときに、可動扉が開き、所定期間開放された場合や、１０個のパチンコ玉が入賞した場合に一旦閉じるようになっており、このような開閉動作が例えば１２回行われると、大当たり状態が終了するようになっている。このアタッカ２６が開放されると大入賞口２６ａが露呈するようになっており、大入賞口２６ａへのパチンコ玉の入賞に応じて所定個数のパチンコ玉が払い出される。アタッカ２６の開放時は遊技者にとって有利な遊技状態となり、遊技者はより多くのパチンコ玉を獲得することができる。
【００２１】
センター役物３０に備えられた液晶パネル３５の前側にはパチンコ玉が一時的に滞在するステージ３０ｂが設けられており、ステージ３０ｂ上のパチンコ玉はステージ３０ｂ上を遥動した後スタートチャッカ−２３に設けられた始動入賞口２３ａに向かって落下する。センター役物３０の上部にはパチンコ玉をステージ３０ｂに進入させるためのステージ入口３０ｃが形成されており、パチンコ玉はこのステージ入口３０ｃからステージ３０ｂに進入することができる。
【００２２】
図２に示すように、遊技盤１８上には上方に向かって突き出た略弧状に形成された外レール３６が遊技盤１８と略垂直に設けられている。外レール３６の一方の側端部には、同じく略弧状に形成された内レール３７が向かい合って設けられている。外レール３６は内レール３７の上端部よりも長く延設され、内レール３７とともに発射装置（図示省略）によって発射されたパチンコ玉を遊技領域９の上部に導く発射通路３９を形成する。外レール３６と内レール３７とが連設されることによって略円形の遊技領域９が遊技盤１８上に形成される。
【００２３】
センター役物３０には４つの保留表示部３０ａ、風車３２、表示パネル３５が備えられており、保留表示部３０ａは、センター役物３０上に設けられた表示パネル３５において図柄が変動表示されている間にスタートチャッカ２３に設けられた始動入賞口２３ａにパチンコ玉が入賞するごとに１つ点灯する。この入賞は、電子抽選を行って図柄を変動させる権利として持ち越され、この権利の持ち越しは上限が４つまでと予め定められている。この権利を消化したときには保留表示部３０ａは１つずつ消灯する。
【００２４】
センター役物３０に備えられた表示パネル３５は、例えば、横に３つの図柄を並べて表示して電子抽選の結果を告知する。例えば、始動入賞口２３ａにパチンコ玉が入賞するとこれに応じて電子抽選が開始され、表示パネル３５に図柄が変動表示された後に、所定の図柄が停止表示されることで遊技者に対して抽選結果が告知される。図柄は、例えば１〜９までの数字であり、図柄が縦に流れる変動表示が行われた後、電子抽選に当選した場合には同じ数字が３つ順次停止表示される。また、表示パネル３５に表示される図柄の表示態様として、大当たり状態が発生する前段階で、３つの変動図柄のうち２つが同じ図柄で停止表示され、残る１つが変動表示される、いわゆるリーチ状態が設定されており、これによって遊技者に期待感を持たせている。
【００２５】
図３に示すように、センター役物３０は、遊技盤１８の裏面側から前面側に向かって固定されるベースユニット４０と、このベースユニット４０に着脱自在に取り付けられる演出装置本体４２とから構成される。遊技盤１８には開口１８ａが形成され、この開口１８ａからベースユニット４０が露呈する。ベースユニット４０の前面４０ｃは開口１８ａを塞ぐように平面状に形成され、１２ピンタイプの雌型コネクタ４６及び前面４０ｃから前方に突出する爪４０ｄが設けられている。図４に示すように、ベースユニット４０の前面４０ｃには爪４０ｄが上下にそれぞれ１つずつ配置され、爪４０ｄの横には雌型コネクタ４６が３つ配置されている。ベースユニット４０に演出装置本体４２が取り付けられるとベースユニット４０は演出装置本体４２によって覆われ、正面からは見えなくなる。
【００２６】
図５に示すように、演出装置本体４２の背面４２ａには爪４０ｄが嵌入される嵌入穴４２ｂが設けられ、この嵌入穴４２ｂ内には爪４０ｄと係合する略Ｌ字形状のロック部材４３が設けられている。ロック部材４３はバネ４１によって付勢されており、ロック部材４３の一端が爪４０ｄに係合するようになっている。ロック部材４３の他端は細長い棒状のロック解除棒３３と係合し、ロック解除棒３３が押されるとロック部材４３は支点Ｐを中心に回動するようになっている。ロック解除棒３３の押圧によってロック部材４３が回動するとロック部材４３の一端と爪４０ｄとの係合が解除され、演出装置本体４２がベースユニット４０から取り外し可能となる。なお、ロック解除棒３３は演出装置本体４２に備え付けてあっても良いし、必要に応じて挿入させてロック部材４３と係合させるようにしてもよい。
【００２７】
演出装置本体４２の背面４２ａの縁部４２ｃは遊技盤１８に密接し、演出装置本体４２の一部は開口１８ａの周囲に嵌め込まれているため演出装置本体４２は安定しており、演出装置本体４２の外壁にパチンコ玉が衝突しても位置がずれたり外れたりすることはない。なお、上記ではベースユニット４０に爪４０ｄを形成し、この爪４０ｄに係合する嵌入穴４２ｂを演出装置本体４２に形成したが、演出装置本体に爪を形成し、ベースユニットに爪が係合する嵌入穴を形成してもよい。これによって爪が折れた場には演出装置本体を交換すればよく、修理に係る手間や時間を省くことができる。
【００２８】
図６に示すように、ベースユニット４０には遊技盤１８の裏面の開口１８ａの周囲に重ねられるフランジ部４０ｂが形成されている。フランジ部４０ｂはネジ４５によって遊技盤１８の裏面にネジ止めされ、これによってベースユニット４２が遊技盤１８に固定される。ベースユニット４０には雌型コネクタ４６が設けられ、演出装置本体４２には雌型コネクタ４６に嵌め込まれる雄型コネクタ４７が設けられている。雌型コネクタ４６は、一端に嵌合開口を有する第１コネクタハウジングである雌型コネクタハウジング５０と、この雌型コネクタハウジング５０内に配置された中継端子５１とから構成される。雄型コネクタ４７は、一端に嵌合開口を有する第２コネクタハウジングである雄型コネクタハウジング５４と、この雄型コネクタハウジング５４内に配置される接続端子５５とから構成される。ベースユニット４０に演出装置本体４２が取り付けられる際、雌型コネクタハウジング５０には雄型コネクタハウジング５４が嵌め込まれ、これによって中継端子５１に接続端子５５が接続される。雌型コネクタハウジング５０は雄型コネクタハウジング５４と隙間なくしっかり嵌合するため、接続端子５５と中継端子５１との接続は確実に保たれる。
【００２９】
ベースユニット４０には中継基板５７が備えられており、中継基板５７にはハーネス５８を介して、後述する制御回路から制御信号が入力される。中継基板５７には中継端子５１が接続され、中継端子５１に接続された接続端子５５を介して演出装置本体４２側に制御信号が送出される。接続端子５５は表示パネル３５の駆動制御回路等が実装された回路基板６０に接続され、回路基板６０は接続端子５５を介して入力される制御信号を基に表示パネル３５、保留球表示部３０ａ等を駆動させる。なお、上記ではベースユニット４０に雌型コネクタ４６を設け、演出装置本体４２に雄型コネクタ４７を設けたが、ベースユニットに雄型コネクタを設け、演出装置本体に雌型コネクタを設けてもよい。また、上記では遊技盤１８の開口１８ａから露呈するベースユニット４０の前面４０ｃの形状は四角形状であったが、ベースユニット４０の前面形状はこれに限らず、例えば三角形状やＴ字形状であってもよい。また、上記の実施形態では、ベースユニット４０に中継基板５７を備えたが、演出装置本体の制御が容易な場合では中継基板を省略してもよい。中継基板を省くことにより、より低コストな演出装置を提供することができる。
【００３０】
図７にパチンコ機２の電気的な構成を概略的に示したブロック図を示す。パチンコ機２は制御部６２が設けられ、制御部６２には制御回路６４が設けられ、パチンコ機２は制御回路６４内に設けられたＣＰＵ６７によってパチンコ機２の動作全般が制御されている。制御回路６４にはＣＰＵ６７、メモリ６９、当たり決定部７１、停止図柄決定部７３、演出決定部７５、タイマー回路７７、表示制御部７９、駆動制御部８１、ランプ制御部８３などが設けられ、ＣＰＵ６７はメモリ６９に格納された制御プログラムに従ってパチンコ機２の動作を制御する。
【００３１】
制御部６２には制御回路６４の他、払い出し制御装置８５、可動物制御部８７、発射制御装置８９、始動入賞口入賞球検出センサ９０、大入賞口入賞球検出センサ９２、通常入賞口入賞球検出センサ９４、通過球検出センサ９６、音声制御装置９７などが設けられている。
【００３２】
発射制御装置８９は操作ハンドル１４の操作に応じてパチンコ玉を遊技領域９に打ち出す。図示しないが発射制御装置８９には遊技領域９にパチンコ玉を打ち出すための打ち出しノッカー、受け皿１２に貯留されたパチンコ玉を打ち出しノッカーに送る球送り装置が備えられ、操作ハンドル１４の回し具合に応じた打ち出し強度で打ち出しノッカーはパチンコ玉を遊技領域９に打ち出す。
【００３３】
音声制御装置９７はサウンドメモリを備えており、図柄の変動表示を行っているときや当たりを示す図柄が停止表示されたときなどにサウンドメモリから音声データを読み出し、この音声データを基にパチンコ機２に備え付けられたスピーカを駆動させる。
【００３４】
入賞チャッカ２４に設けられた通常入賞口２４ａ内には通常入賞口入賞球検出センサ９４が備えられ、スタートチャッカ２３に設けられた始動入賞口２３ａ内には始動入賞口入賞球検出センサ９０が備えられている。アタッカ２６の開放時に露呈する大入賞口２６ａ内には大入賞口入賞球検出センサ９２が設けられており、それぞれの入賞口入賞球検出センサ９２がパチンコ玉を検出すると検出信号がＣＰＵ６７に入力される。
【００３５】
ＣＰＵ６７は各入賞球検出センサからの検出信号に応じて払出制御装置８５を駆動させ、払出制御装置８５はＣＰＵ６７からの命令に応じてパチンコ玉を払い出す。例えば、通常入賞口入賞球検出センサ９４から検出信号が入力された場合には、払出制御装置８５は例えば４個のパチンコ玉を受け皿１２に払い出し、大入賞口入賞球検出センサ９２から検出信号が入力された場合には、払出制御装置８５は例えば１５個のパチンコ玉を受け皿１２に払い出す。
【００３６】
当たり決定部７１は乱数発生器、乱数サンプリング回路、当たり決定テーブルを備え、始動入賞口入賞球検出センサ９０がパチンコ玉の入賞を検出するたびに乱数値をサンプリングする。サンプリングされた乱数値は当たり決定テーブルと照合されて当たりまたはハズレが決定される。また、サンプリングされた乱数値が当たりの場合では、遊技者に当たりを告知した後にアタッカ２６を開放させる。
【００３７】
停止図柄決定部７３では液晶パネル３５に停止表示させる図柄の組み合せが決定される。停止図柄決定部７３は、乱数発生器、乱数サンプリング回路、停止図柄テーブルを備え、当たり決定部７１での抽選が行われた後に作動される。停止図柄テーブルは当たり用とハズレ用とがあり、当たり決定部７１での抽選結果に応じてどちらかが参照され、表示パネル３５に停止表示される図柄が決定される。
【００３８】
演出決定部７５は乱数発生器、乱数サンプリング回路、演出テーブルを備え、当たり決定部７１での抽選結果に応じて作動する。乱数サンプリング回路でサンプリングされた乱数値に応じてメモリ６９に格納された当たり用またははずれ用の演出テーブルから表示用の演出が選択される。演出表示は、タイマー回路７７からの計時信号を基にして所定時間実行される。
【００３９】
可動物制御部８７ではアタッカ２６に備えられた可動扉等の駆動を制御する。表示パネル３５に大当たりに対応した図柄が表示された場合には、アタッカ２６の可動扉が可動物制御部８７によって開かれ、パチンコ玉が大入賞口に入賞可能な状態となる。
【００４０】
表示制御部７９は、表示制御信号を演出装置本体４２に送出して表示パネル３５の表示駆動を制御する。例えば、演出決定部７５にて選択された演出テーブルから読み出された演出データに基づいて表示パネル３５に表示制御信号を送出する。このとき制御回路６４から出力された表示制御信号は中継端子４６、及びこれに接続された接続端子４７を介して表示パネル３５に入力され、表示パネル３５には演出決定部７５で選択された演出が所定時間表示される。
【００４１】
ランプ制御部８３は、点灯信号及び消灯信号とからなる点灯制御信号を演出装置本体４２に送出して保留球表示部３０ａの点灯及び消灯などを制御する。例えば、表示パネル３５において図柄が変動表示されている間に始動入賞口入賞球検出センサ９０から検出信号が入力された場合には、ランプ制御部８３は中継端子４６及び接続端子４７を介して点灯信号をセンター役物３０に入力させ、保留表示部３０ａはこれに応じて１つ点灯する。
【００４２】
駆動制御部８１は、駆動制御信号をセンター役物３０に送出してセンター役物３０に備えられたアクチュエータ９９やモータ９８等の駆動を制御する。これにより例えば、パチンコ玉が始動入賞口２３ａに入賞した場合や通常入賞口２４ａに入賞した場合に合わせてモータ９８によって回転制御される風車３２（図２参照）等の可動部材が動作し、より興趣の高い遊技を遊技者に提供することができる。
【００４３】
上記構成の作用について説明する。センター役物３０はベースユニット４０及び演出装置本体４２から構成され、ベースユニット４０は遊技盤１８の裏からネジ４５で固定される。ベースユニット４０の前面４０ｃには、２つの爪４０ｄ、３つの雌型コネクタ４６が設けられ、演出装置本体４２の背面４２ａには爪４０ｄに対応した嵌入穴４２ｂ、雌型コネクタ４６に対応する雄型コネクタ４７が設けられている。爪４０ｄが嵌入穴４２ｂに嵌め込まれて演出装置本体４２がベースユニット４０に着脱自在に取り付けられるとき、雌型コネクタハウジング５０に雄型コネクタハウジング５４が嵌め込まれて中継端子５１に接続端子５５が接続される。中継端子５１に接続端子５５が接続されると制御回路６４からの制御信号によって演出装置本体４２に備えられた保留表示部３０ａ、表示パネル３５及びアクチュエータ９９の制御が可能となる。
【００４４】
演出装置本体４２を取り外す場合には、演出装置本体４２のロック解除棒３３を押しながら演出装置本体４２を前方に引っ張ることにより、演出装置本体４２をベースユニット４０から取り外すことができる。これによって演出装置本体４２が故障した場合や新しい演出装置本体に交換する場合、容易に行うことができる。また、ベースユニット４０を各遊技機で共通化することにより、低コストでバラエティの豊富なセンター役物を提供することができる。
【００４５】
なお、上記の実施形態では、爪４０ｄと嵌入穴４２ｂとによって演出装置本体４２をベースユニット４０に固定したが、ベースユニットに演出装置本体を固定する方法はこれに限らない。例えば、雌型コネクタと雄型コネクタとによって演出装置本体をベースユニットに取り付けてもよい。雄型コネクタハウジングの外側に爪を形成し、雌型コネクタハウジングの内側には爪に係合するノッチを形成する。雄型コネクタハウジングを雌型コネクタハウジングに嵌合させることにより、演出装置本体がベースユニットに固定される。このようにコネクタによって演出装置本体をベースユニットに固定することにより、ベースユニットに対する演出装置本体の取り付け構造がより簡便になり、利便性の高いセンター役物を提供することができる。
【００４６】
また、図８に示すように、ベースユニット４０が遊技盤１８の奥側に配置されることで、演出装置本体４２の奥行を大きくして立体感を増大させることもできる。演出装置本体４２には、所定のパターンで発光する発光ダイオード１００、演出装置本体４２に対して着脱自在に設けられた液晶パネル１０２、おもり１０４、遊技球を一時的に滞留させるステージ１０６が設けられている。おもり１０４は演出装置本体４２の下部に設けられており、これによってベースユニット４０に取り付けられた演出装置本体４２をより安定させることが期待できる。また、ステージ１０６を演出装置本体４２に対して着脱自在に設けることにより、演出装置本体４２のバリエーションを増やすことができる。なお、おもり１０４はバランス調整に応じて演出装置本体４２の適宜な場所に配置されるようにするとよい。
【符号の説明】
【００４７】
２  パチンコ機（弾球遊技機）
９  遊技領域
１８  遊技盤
３０  センター役物（演出装置）
３５表示パネル
４０  ベースユニット
４２  演出装置本体
４６  雌型コネクタ
４７  雄型コネクタ
５０  雌型コネクタハウジング（第１コネクタハウジング）
５１  中継端子
５４  雄型コネクタハウジング（第２コネクタハウジング）
５５  接続端子
５８  ハーネス
６４  制御回路
【図１】
2010148958.tif 000003
【図２】
2010148958.tif 000004
【図３】
2010148958.tif 000005
【図４】
2010148958.tif 000006
【図５】
2010148958.tif 000007
【図６】
2010148958.tif 000008
【図７】
2010148958.tif 000009
【図８】
2010148958.tif 000010